(57)【要約】【課題】受信中に送信側から緊急の注意喚起を示す信号を受けた際、受信者に注意の喚起がなされ、且つ、その注意喚起に対してタイムラグが少なくタイムリーに通話音声を聞き取ることが可能なトランシーバを提供する。【解決手段】受信中の信号に緊急の注意喚起の信号が認めると、注意喚起のためのバイブレータ９の出力（振動）及びＬＥＤ１０の出力（連続点滅）が生じるが、同時にスピーカ５の音声の出力レベルが予め設定した高い値に切り替わる構成としているので、注意喚起の信号の受信の時点からタイムラグが極めて少なく受信者は高い出力レベルに切り替わった受信音声を聞くことができる。【選択図】図４
2012120141.tif 000002
【特許請求の範囲】
【請求項１】
外部から信号を受信し、その受信した信号に所定の処理を行って音声用の信号として出力を行う受信部と、使用者の音声を信号に変換して外部に出力する送信部と、前記受信部の後段側に接続され、受信した信号に基づく音声を受信者側に出力する音声出力部と、信号を受信中の使用者に注意を喚起させるためのバイブレータ又は／及び発光器が備えられ、
更に、送信者側から注意喚起のための特定の信号を上記受信部が受信すると、上記音声出力部の出力レベルを上昇させ、且つ、上記バイブレータ又は／及び発光器の機能を出力させるように制御を行う制御部が備えられてなるトランシーバ。
【請求項２】
上記制御部は、上記音声出力部の出力レベルを任意の値に上昇させることが可能で、且つ、その上昇した出力レベルを一定時間後に元の出力レベルに戻すように制御を行う請求項１に記載のトランシーバ。
【請求項３】
トランシーバ本体に内蔵され、上記音声出力部からの信号を音声に変換して出力するスピーカ及び上記送信部に使用者側の音声を信号に変換して出力するマイクロフォンと、上記バイブレータ又は／及び発光器が付設され且つ前記トランシーバ本体に対して外付けとなるスピーカ・マイクロフォンが接続する接続端子と、その接続端子を覆い、且つ、上記バイブレータが付設されている蓋体が備えられ、
前記トランシーバ本体に内蔵のスピーカ及びマイクロフォンを選択的に使用して前記蓋体で前記接続端子を覆った際には、前記蓋体に付設のバイブレータが、前記トランシーバ本体に対して外付けとなるスピーカ・マイクロフォンを選択的に使用する際には、前記スピーカ・マイクロフォンに付設のバイブレータ又は／及び発光器が、それぞれ機能を出力するように構成されてなる請求項１及び２に記載のトランシーバ。
【発明の詳細な説明】
【技術分野】
【０００１】  この発明は、外部から受けた電気信号に所定の処理を行って受信者としての使用者に音声に変換して出力し、且つ、送信者としての使用者の音声を電気信号に変換して電波で出力するトランシーバに関する。
特に、送信者側が受信者側に受信に係る音声に特に早急に注意を喚起させようとする場合、その注意の喚起を受信者としての使用者により一層確実で促し、且つ、受信に係る音声をタイムラグが少なくより一層早急に聞き取れて聞き漏らしを極力避けるようにすることの改良に関する。
【背景技術】
【０００２】  送信側が受信側に何らかの信号を送って、受信者に信号の着信があったことへの注意を喚起させる発明として、以下の公開特許公報で開示されたものが知られている。
【先行技術文献】
【特許文献】
【特許文献１】  特開２００９−０８８８８号公報
【発明の概要】
【発明が解決しようとする課題】
【０００３】  特開２００９−０８８８８号公報には、着信通知端末（以下、「先願発明」と称する。）が開示されている。
先願発明では、送信側が通話のための送信を行うと、ブルートェース受信部２６を介して制御部２４が前記の送信に係る信号を受信し、着信ありと判定すると、鳴動部３１、振動部３２若しくは発光部３３のいずれかが選択的に機能が出力して、結果的に、先願発明の使用者（受信者）に着信を報せる構成になっている。【０００４】  先願発明では、信号が初めて着信した際には、使用者に確実にその信号着信の旨を鳴動部３１、振動部３２若しくは発光部３３のいずれかの出力によって伝えるから、移動中などの使用環境に制約がある場合であっても、使用者は着信を確実に知ることが可能になっている。
つまり、先願発明の斯かる機能は、使用者に着信があった旨に対して注意の喚起を起こしていると受け取れる。【０００５】  そこで、引例発明の注意喚起の機能をトランシーバ若しくは携帯電話に付加させた場合を考えると、着信ありと判定すると、鳴動部３１、振動部３２若しくは発光部３３のいずれかが選択的に機能が出力して使用者に注意を喚起するから、使用者は即刻トランシーバ若しくは携帯電話に対応することができる。
然るに、複数のトランシーバ若しくは携帯電話を同時に使用している場合や騒音環境下で受信した場合では、それら複数のトランシーバ若しくは携帯電話の中から特定の一つを選び出して対応したり騒音環境下でより一層確実に対応するために出力音声のレベルを上げるようにボリュームの操作を行う必要が生じる。【０００６】  使用者（受信者）は、このボリュームの操作の後に受信内容を確実に聞き取ることが可能になる。
つまり、図５に示すタイムチャートによって説明すると、同図では鎖線は出力が０レベルであることを意味するが、鳴動部３１、振動部３２若しくは発光部３３のいずれかは注意喚起の信号の受信と共に機能出力の状態に変わるが、注意喚起の信号を受信してから受信内容を確実に聞き取れるようになるまでトランシーバ若しくは携帯電話を手に取りボリュームの操作を行うまでに要する時間分だけタイムラグが生じることになる。【０００７】  確実な受信が必要な場合に於いてタイムラグが生じると、受信音声の頭部が欠落することになって受信内容の一部を聞き漏らすことになったり、わざわざ注意を喚起して送信して来る場合の中には緊急性の極めて高い事柄である場合も考えられ、問題は深刻である。
殊に、受信側がトランシーバ若しくは携帯電話を介して指示を受けながら作業を進めている際に、指示を出す側（送信側）に問題が生じて既に出した指示を訂正したり撤回する場合には上記のタイムラグが生じることはより一層深刻な問題となる。【０００８】  又、複数のトランシーバ若しくは携帯電話を同時に使用することやトランシーバ若しくは携帯電話を介して指示を受けながら作業を行うことはそれなりに必要があってのことであり、注意喚起に係る受信は緊急性が極めて高いことから、前記のタイムラグは大きな問題と言える。
他方、トランシーバ若しくは携帯電話の音声出力レベルを必要以上に十分に上げて使用することも考えられるが、使用者にとって高過ぎるレベルの受信音声は大きな負担になったり、場合によっては健康上好ましくなく新たな問題が生じることになる。【０００９】  従って、受信者としてのトランシーバ若しくは携帯電話の使用者が注意喚起の信号をより一層注意深く受けるようにし、即座に対応して受信内容を聞き逃さぬように音声レベルを上げるのが望ましい操作と言える。
斯かる操作を行った場合でも、同様に、注意喚起に気付いて音声出力レベルを上げることであり、受信内容の頭部分の聞き逃しについては同じくタイムラグ生じることになる。【００１０】  この発明は、上記の事情に鑑みてなされたものであって、受信中に於いて送信側から緊急の注意喚起を示す信号を受けた際に、受信者に注意の喚起がなされ、且つ、注意喚起の信号の受信以降の通話音声の聞き取りに対してタイムラグが少なくタイムリーに通話音声を聞き取ることが可能であって結果的に聞き漏らしのより一層少ないトランシーバを提供するものである。
【課題を解決するための手段】
【００１１】  この発明は、受信中の信号に緊急の注意喚起の信号が認めると、注意喚起のためのバイブレータ又は／及び発光器の機能を出力し、且つ、受信信号に係る音声の出力レベルを上昇させるように構成したトランシーバである。【００１２】  その詳細な構成は、外部から信号を受信し、その受信した信号に所定の処理を行って音声用の信号として出力を行う受信部と、使用者の音声を信号に変換して外部に出力する送信部と、前記受信部の後段側に接続され、受信した信号に基づく音声を受信者側に出力する音声出力部と、信号を受信中の使用者に注意を喚起させるためのバイブレータ又は／及び発光器が備えられ、
更に、送信者側から注意喚起のための特定の信号を上記受信部が受信すると、上記音声出力部の出力レベルを上昇させ、且つ、上記バイブレータ又は／及び発光器の機能を出力させるように制御を行う制御部が備えられてなるトランシーバである。【００１３】  尚、斯かるトランシーバに於いて、上記制御部は上記音声出力部の出力レベルを任意の値に上昇させることが可能で、且つ、その上昇した出力レベルを一定時間後に元の出力レベルに戻すように制御を行うことが可能な構成が挙げられる。【００１４】  又、斯かるトランシーバに於いて、その本体に内蔵され、上記音声出力部からの信号を音声に変換して出力するスピーカと及び上記送信部に使用者側の音声を信号に変換して出力するマイクロフォンと、上記バイブレータ又は／及び発光器が付設され且つ前記トランシーバ本体に対して外付けとなるスピーカ・マイクロフォンが接続する接続端子と、その接続端子を覆い、且つ、上記バイブレータが付設されている蓋体が備えられ、
前記トランシーバ本体に内蔵のスピーカ及びマイクロフォンを選択的に使用して前記蓋体で前記接続端子を覆った際には、前記蓋体に付設のバイブレータが、前記トランシーバ本体に対して外付けとなるスピーカ・マイクロフォンを選択的に使用する際には、前記スピーカ・マイクロフォンに付設のバイブレータ又は／及び発光器が、それぞれ機能する構成が挙げられる。【００１５】  更に、斯かるトランシーバに於いて、注意喚起の信号を受信した旨を報せる発光器の近傍に、使用環境からの光の量を減少させて前記発光器の発光のコントラストを上げるための板部材が配設されてなる構成が挙げられる。
【発明の効果】
【００１６】  この発明は、注意喚起の信号を受けるまでは受信中の信号に係る音声出力のレベルは任意に低く設定することが可能であることから複数のトランシーバ若しくは携帯電話からの出力音声を同時に聞き取ること及び騒音環境下でその騒音に注意を払いながら受信に係る出力音声を聞き取ることが可能であり、更に、注意喚起を示す特定の信号を受信するとバイブレータ又は／及び発光器の機能が出力して使用者に注意が喚起されると共に受信中の信号に係る音声出力のレベルが上昇するので注意喚起からタイムラグが極めて小さくタイムリーに注意喚起後の音声を聞き取ることが可能であって、結果的に注意喚起の特定の信号の受信以降の音声の聞き取りで聞き漏らしを極めて少なく抑えることが可能なトランシーバである。【００１７】  又、斯かるトランシーバに於いて、上記制御部は上記音声出力部の出力レベルを任意の値に上昇させることが可能で、且つ、その上昇した出力レベルを一定時間後に元の出力レベルに戻すように制御を行うことが可能な構成とすることにより、使用者は注意喚起の信号を受け取る前後で受信に係る音声を使用者の所望するレベルに設定することが可能である。【００１８】  更に、斯かるトランシーバにおいて、その本体に内蔵され、上記音声出力部からの信号を音声に変換して出力するスピーカと及び上記送信部に使用者側の音声を信号に変換して出力するマイクロフォンと、上記バイブレータ又は／及び発光器が付設され且つ前記トランシーバ本体に対して外付けとなるスピーカ・マイクロフォンが接続する接続端子と、その接続端子を覆い、且つ、上記バイブレータが付設されている蓋体が備えられ、前記トランシーバ本体に内蔵のスピーカ及びマイクロフォンを選択的に使用して前記蓋体で前記接続端子を覆った際には、前記蓋体に付設のバイブレータが、前記トランシーバ本体に対して外付けとなるスピーカ・マイクロフォンを選択的に使用する際には、前記スピーカ・マイクロフォンに付設のバイブレータ又は／及び発光器が、それぞれ機能する構成とすることにより、使用者はトランシーバ本体に内蔵のスピーカ及びマイクロフォンとトランシーバ本体に対して外付けのスピーカ・マイクロフォンを選択的に使用することが可能であり、しかも、バイブレータ又は／及び発光器による注意喚起と受信中の信号に係る音声出力のレベルが上昇が同時に行われて注意喚起からタイムラグが極めて小さくタイムリーに注意喚起後の音声を聞き取ることが可能である。【００１９】  加えて、斯かるトランシーバに於いて、注意喚起の信号を受信した旨を報せる発光器の近傍に使用環境からの光の量を減少させて発光機能のコントラストを上げるための板部材が配設されていることにより、注意喚起のための特定の信号の着信を視覚的により確実に知ることが可能になる。
【図面の簡単な説明】
【００２０】
【図１】この発明を実施するための最良の形態において、スピーカ・マイクロフォンを接続していない場合の電気的な構成を説明するブロック図である。
【図２】図１に示す実施の最良の形態のトランシーバ本体の外観を示す斜視図である。
【図３】図１に示す実施の最良の形態のスピーカ・マイクロフォンの外観を示す斜視図である。
【図４】図１に示す実施の最良の形態の特定の信号を受信した際の機能を説明するタイムチャート図である。
【図５】先願発明の図４相当図である。
【発明を実施するための形態】
【００２１】  以下、この発明を、図面に基づき、実施する最良の形態で説明する。しかし、この形態によってこの発明が限定されるものではない。
トランシーバ１は図１及び図２に示すように、アンテナ２と、受信部３と、音声出力部４と、スピーカ５と、マイクロフォン６と、アンプ７と、送信部８と、バイブレータ９と、発光器であるＬＥＤ１０と、制御部１１と、メモリ１２と、表示部１３と、操作部１４と、ケーシング１５と、蓋体１６と、スピーカ・マイクロフォン１７が備えられている。
【００２２】  アンテナ２は、これを介して受信した電波を受信部３に送り、且つ、送信部６からの信号を電波として送信するためのものである。
音声出力部４は、受信部３の後段側に接続され、受信部３からの信号を所定の処理を行って音声信号として出力するものである。
【００２３】  スピーカ５は、装置本体であるケーシング１５に内蔵され、音声出力部４からの信号を受けて音声として出力するものである。
マイクロフォン６は、送信者としての使用者の発する音声を受けると信号に変換して出力するものである。
【００２４】  アンプ７は、マイクロフォン６からの信号を受けると所望のレベルに増幅して出力するものである。
送信部８は、アンプ７からの増幅された信号を出力電波用に加工してアンテナ２に送るものである。
【００２５】  バイブレータ９は、トランシーバ１が特定の信号を受信した際に、振動することによって使用者にその特定の信号の受信した旨を報せるためのものである。
バイブレータ９は、蓋体１６の内側に配設されている。
【００２６】  ケーシング１５には、蓋体１６が矢印Ａ方向に着脱する凹部１８が設けられている。
蓋体１６には内側面に電極１９が配設されていて、蓋体１６がケーシング１５に所定の位置で取り付けられると、ケーシング１５の凹部１８に配設された電極２０と接続する構造になっていて、斯かる構造によってバイブレータ９は出力のための電力を受け取る。
【００２７】  蓋体１６には、蓋体１６をケーシング１５に所定の位置で取り付けた際にケーシング１５から離隔した位置を取る指当て部２１が設けられている。
つまり、指当て部２１は、蓋体１６をケーシング１５の所定位置に取り付けた状態では、ケーシング１５から浮いた状態になっている。
【００２８】  従って、トランシーバ１が注意喚起のための特定の信号を受信し、制御部１１からの制御信号に基づいてバイブレータ９が出力して振動を行うと、その振動の一部がトランシーバ１の本体に吸収される場合に比べて、斯かる構成のトランシーバ１では指当て部２１が使用者に振動をよく伝えることになる。
よって、トランシーバ１の使用者が指当て部２１に指を当てながら使用すると、バイブレータ９の出力つまり振動を指当て部２１からより一層強く受け取ることが可能になっていて、又、バイブレータ９の消費電力を低く抑えることも可能になっている。
【００２９】  バイブレータ９と同様にトランシーバ１が前記特定の信号を受信した際に、連続的に点滅することによって使用者にその特定の信号の受信した旨を報せるための発光器であるＬＥＤ１０がトランシーバ１のケーシング１５の前面と天面に連続して埋設の状態で備えられている。
そして、ＬＥＤ１０は、前記特定の信号の受信をトリガーに、単に消灯状態から点灯状態に変わるのではなく点滅を連続的に繰り返すことによって、使用者により高い注意力を喚起するように出力するように制御部１１に制御される構成になっている。
【００３０】  加えて、ＬＥＤ１０の近傍には、使用環境からの光の量を減少させるための黒色の囲み形状の板部材２２が配設されており、ＬＥＤ１０の点滅が使用者にとってより一層コントラストの高い点滅と受け取れるように構成されている。
他方、ケーシング１５の凹部１８には、蓋体１６と選択可能に外付けのスピーカ・マイクロフォン１７の接続端子２３が取り付け可能になっている。
【００３１】  制御部１１は、トランシーバ１の機能の制御、つまり、受信機能と送信機能の制御を行うものである。
制御部１１は、操作部１４から受信機能を出力する旨の信号を受け取ると、メモリ１２からの必要なデータに基づいて、受信部３と音声出力部４に機能出力の制御信号を送ると共に、受信部３が受信した信号に基づいて必要事項を表示部１３に表示のための制御信号を出力する。
【００３２】  尚、制御部１１に操作内容の信号を送る操作部１４は、具体的には、ケーシング１５の前面に配したテンキーなどの押し釦類（以上、図示省略）、ケーシング１５の天面に配したボリューム２４（矢印Ｂ方向に回転）、ケーシング１５の側面に送信機能と受信機能を切り替えるための切り替えスイッチ２５、後述するスピーカ・マイクロフォン１７の切り替えスイッチ２８などから構成されている。
メモリ１２は、トランシーバ１が機能するのに必要なデータと通信を行うことによって得られるデータを記憶しておくものであって、トランシーバ１の使用中に制御部１１と適宜アクセスする構成になっている。
【００３３】  表示部１３は、トランシーバ１の使用状態で必要な事柄を表示するものである。
蓋体１６は、ケーシング１５の凹部１８に嵌合し、ビス（図示省略）によってケーシング１５に取り付け固定される構成になっている。
又、スピーカ・マイクロフォン１７の接続端子２３も同様に、ケーシング１５の凹部１８に嵌合し、ビス（図示省略）によってケーシング１５に取り付け固定される構成になっている。
【００３４】  スピーカ・マイクロフォン１７は、使用者がトランシーバ１の装置本体を例えばブラケット内に位置させたり腰ベルトに保持させた状態で使用する際に、受信信号に係る音声の出力と送信に係る音声の入力を行うものであって、スピーカ２６と、マイクロフォン２７と、送信機能と受信機能を切り替えるための切り替えスイッチ２８及びフック２９が備えられている。
スピーカ・マイクロフォン１７には更に、トランシーバ１が前記特定の信号を受信した際に、振動することによって使用者にその特定の信号の受信した旨を報せるためのバイブレータ３０、連続的に点滅するＬＥＤ３１及びＬＥＤ３１の点滅のコントラストを上げるための板部材（図示省略）が備えられている。
【００３５】  ３２は、スピーカ・マイクロフォン１７の本体と接続端子２３を接続するコードである。
トランシーバ１は更に、操作部の一つとして前記特定の信号を出力するための操作スイッチ３３、３４が備えられている。
操作スイッチ３３、３４は、押圧操作するとその旨が制御部１１に信号によって伝えられ、この信号に基づいて制御部１１は送信部８に前記特定の信号を送出するように制御信号を出力する構成になっている。
【００３６】  ここで、送信部は、前記特定の信号をアンテナ２に送り、アンテナ２は電波として前記特定の信号を交信相手のトランシーバ１に送る
交信相手のトランシーバ１では、送られて来た前記特定の信号はアンテナ２で受信すると、受信部３を介して制御部１１に送られる。
【００３７】  制御部１１は、前記特定の信号を受け取ると、音声出力部４に予め設定したレベルの高い出力となる制御の信号と、バイブレータ９及びＬＥＤ１０に出力させる制御信号を出力する構成になっている。
尚、ケーシング１５に接続端子２３が接続固定されている場合には、制御部１１は、バイブレータ３０とＬＥＤ３１に出力させる制御の信号が出力され、且つ、音声出力部４からの音声に係る信号はスピーカ２６に送られる構成になっている。
【００３８】  トランシーバ１の全体及び要部は、上述したように構成されている。
ここで、通信者甲が騒音下に居る通信者乙にトランシーバ１を介して作業に係る指示を与え、通信者乙は通信者甲のトランシーバ１を介した作業指示に基づいて作業を進める場合では、通信者乙はトランシーバ１を受信モードにして通信者甲からの作業指示を聞き取るとその指示通りに作業を進める。
通信者乙は、その指示された作業が完了すると、トランシーバ１を送信モードに切り替えて通信者乙に次の作業指示を求める。
【００３９】  斯かる状態では、通信者乙は、騒音下に居て通信者甲の指示の通りに作業を行っているので、他の事柄には十分な注意は喚起され難い状態にある。
さて、通信者乙が受信した指示に従って作業をしている際、通信者甲が指示した作業の内容に間違いがあったり、通信者乙が現在行っている作業よりも優先させるべき作業が緊急に生じることに気付くと、前記特定の信号を送信する操作スイッチ３３を押圧してＯＮとする。
【００４０】  ここで、通信者甲の使用しているトランシーバ１において、制御部１１は操作スイッチ３３からの信号を受け取ると送信部８に前記特定の信号を送信する制御信号を出力する。
送信部８は、制御部１１からの制御信号を受けて前記特定の信号をアンテナ２に送り、アンテナ２は前記特定の信号を電波で受信者乙の側に送信する。
【００４１】  通信者乙のトランシーバ１では、アンテナ２を介して受信部３が通信者甲のトランシーバ１からの前記特定の信号を受け取ると、制御部１１に送る。
制御部１１は、前記特定の信号を受け取ると、バイブレータ９とＬＥＤ１０に出力の制御信号を出力すると共に、音声出力部４に出力レベルが予め設定した高い値となるように制御信号を出力する。
【００４２】  ここで、通信者乙のトランシーバー１は、バイブレータ９が出力して振動すること、ＬＥＤ１０が連続的に点滅すること、及び、スピーカ２６からの音声が高いレベルで出力されることが同時に行われる。
従って、通信者乙は、バイブレータ９の振動を指当て部２１から、ＬＥＤ１０の連続的な点滅を視覚によってそれぞれ受け取り、前記特定の信号が受信されたことに注意が喚起されると共に、高い出力レベルに切り替わった音声から前記特定の信号が受信されたことに聴覚からも気付き、スピーカ５からの音声を注意深く聞き取ることになる。
【００４３】  この時、通信者甲がトランシーバ１から前記特定の信号を送る操作から通信者乙の使用しているトランシーバ１でバイブレータ９とＬＥＤ１０の出力及びスピーカ５から音声の高いレベルへの切り替わりはほぼ同時と見なすことができ、しかも、通信者乙は前記特定の信号の受信への注意が喚起される同時にスピーカ５から高いレベルの音声が出力されるのでほぼ同時にスピーカ５からの音声を聞き取ることが可能になっている。
よって、通信者乙は注意が喚起されてからスピーカ５の音声の出力レベルを上げて受信内容をより確実に聞き取る場合に比べて前記特定の信号の送信の時点からほぼ同時に高いレベルの音声を聞き取ることが可能であり、通信者甲からの指示の内容をより一層確実で且つより一層タイムラグの少なく聞き取り、通信者乙は通信者甲の変更された指示内容にタイムリーに対応することが可能になっている。
【００４４】  このトランシーバ１の機能をタイムチャートによって説明すると、図４に示すように、同図では鎖線は出力が０レベルであることを意味するが、前記特定の信号を受信するとバイブレータ９が出力して振動を生じ、ＬＴＤ１０は出力して光を連続的に点滅する。
よって、通信者乙は、指当て部２１からバイブレータ９の振動を、ＬＴＤ１０の光の連続的な点滅を視覚的にそれぞれ受け取って、注意が喚起される。
【００４５】  上記のバイブレータ９の出力とＬＥＤ１０の出力と同時に、スピーカ５からの音声の出力レベルが予め設定した高い値になるので、通信者乙はトランシーバ１を取り上げてボリューム２４を操作して受信音声を確実に聞き取れるように出力レベルの調整をする必要はないから、先願発明の使用時に見られるタイムラグが生じることはない。
よって、通信者乙は、上記のバイブレータ９とＬＥＤ１０による注意喚起とほぼ同時に受信音声を聞き取るので、通信者甲からの指示内容の聞き取りで欠落して聞き取れない頭部は殆どなく、緊急の指示にタイムリーに対応することが可能になっている。
【００４６】  尚、トランシーバ１のこの使用は、騒音環境下で作業を行う際に指示を受けための手段として使用であるが、複数のトランシーバ若しくは携帯電話を同時に使用している場合であっても、緊急に喚起を喚起する信号を受信したトランシーバ若しくは携帯電話が同様に機能するから、通信者乙は同様に対応できるから、結果的に同様の効果を得ることは可能である。
他方、通信者乙がスピーカ・マイクロフォン１７を使用する場合では、前記特定の信号を受信すると制御部１１はスピーカ・マイクロフォン１７の本体に付設されたバイブレータ３０とＬＥＤ３１に機能出力の信号を送るので、バイブレータ３０とＬＥＤ３１は機能を出力して通信者乙が注意を喚起され、これと同時に、制御部１１から音声出力部４への制御信号によってスピーカ２６からの音声のレベルが設定した高い値に切り替わるから、通信者甲からの指示内容の聞き取りで欠落して聞き取れない頭部は殆どなく、緊急の指示にタイムリーに対応することが可能になっている。
【００４７】  他方、通信者乙が通信者甲に注意の喚起を求める際には、操作スイッチ３３若しくは３４を押圧操作すると、通信者乙のトランシーバ１から通信者甲のトランシーバ１に前記特定の信号が送信される。
通信者甲は、上述した通信者乙と同じように、、緊急の指示にタイムリーに対応することが可能である。
【００４８】  尚、トランシーバ１は、バイブレータ９とＬＥＤ１０の注意喚起の機能の出力は、予め設定した時間（例えば、５秒）が経過するとその出力を停止する構成であってもよく、使用者が任意に停止する構成であってもよい。
前記特定の信号の受信後に音声の出力レベルについては、予め設定した高くなった値を使用者が操作部１４から任意に調節する構成が挙げられる。
【００４９】  トランシーバ１では、スピーカ・マイクロフォン１７の代わりに、使用者の外耳部にスピーカが、口元にマイクロフォンがそれぞれ配置するようにフレーム体によって保持されるヘッドセットの使用も可能である。
トランシーバ１に使用適合するヘッドセットは、注意喚起の機能を視覚的に行うＬＥＤと注意喚起の機能を振動によって行うバイブレータを前記フレーム体に保持させる構成が挙げられる。
【００５０】  尚、斯かるヘッドセットでは、神経が集中している頭部に注意喚起の刺激が直接に作用するので、使用者の刺激の鋭敏さに合わせて調節可能な構成が挙げられる。
又、トランシーバ１は、注意喚起の機能を行うものとしてバイブレータ９、３０とＬＥＤ１０、３１を備えているが、使い勝手や消費電力等の条件に合わせて、いずれか一方を備えた構成であってもよい。
【００５１】  トランシーバ１は、上述したように通信者甲から通信者乙に注意喚起のための前記特定の信号を送るが、通信者乙が前記特定の信号を受信した際に受信した旨の確認信号を通信者甲のトランシーバ１に送る機能を付加する構成であってもよい。
斯かる確認信号を送る構成とすることによって、通信者乙側のトランシーバ１が電力切れの状態となって通信者甲が確認信号を受信しなかった場合には、別の通信手段を使用するなどの対策が可能になっている。
【００５２】  尚、前記特定の信号を受信したから高いレベルに切り替わったスピーカ５のレベルは、使用者の操作によって切り換えられる場合に加えて、制御部１１による自動制御によって一定時間後に低い値に切り替えられる機能を付加することが可能である。
又、この発明は、送信者と受信者が直接若しくは中継局を介して電波によって通信を行っているが、携帯電話及び有線通信の通信に於いても適応することが可能であり、前記特定の信号によって注意喚起のためのバイブレータＬＥＤが機能を出力し、同時にスピーカからの音声のレベルが上昇するから、同様の効果を得ることが可能である。
【符号の説明】
【００５３】１            ：トランシーバ
３            ：受信部
４            ：音声出力部
５，２６      ：スピーカ
６，２７      ：マイクロフォン
８            ：送信部
９，３０      ：バイブレータ
１０，３１    ：ＬＥＤ（発光器）
１１          ：制御部
１４          ：操作部
１７          ：スピーカ・マイクロフォン
３３，３４    ：特定の信号送信用の操作スイッチ
【図１】
2012120141.tif 000003
【図２】
2012120141.tif 000004
【図３】
2012120141.tif 000005
【図４】
2012120141.tif 000006
【図５】
2012120141.tif 000007